(57)【要約】      （修正有）【課題】ブレスレット等の連続的にループしたブルニアンリンクチェインを形成する手段を提供する。【解決手段】織機２８、フックツール２４及び一連のクリップ２６を含むブルニアンリンクを作るためのキット２０を示す。弾性バンド１４及びチャーム２５をさらに含む。弾性バンドは、ブルニアンリンクの形成を可能にするために異なる方向で織機のピン４０に取り付けられる。弾性バンドは、異なる組み合わせのブルニアンリンクの形成を可能にするために異なる方向及び数でピンに配置されてもよい。クリップは、完成したブルニアンリンクアイテムの端をほどけないように固定する。【選択図】図３
2020189074.tif 000002
【特許請求の範囲】
【請求項１】
上面と、
前記上面に対して外側に延びる複数のピンと
を備え、前記複数のピンは、中央列、第１の側部列及び第２の側部列を含む少なくとも３つの列に配置され、前記複数のピンの各々は、上端の近くのフランジ並びに前記フランジ及び前記上端を通る縦溝穴を含み、前記複数のピンの少なくとも４つのピンの間に前記上面を抜ける開口が配置される、織機。
【請求項２】
第１の方向で前記中央列における前記複数のピンの中の２つの隣接するピンの間、かつ前記第１の方向に対して横向きの第２の方向で前記第１の側部列における前記複数のピンの中の１つのピンと前記第２の側部列内の前記複数のピンの中の１つのピンとの間で、前記開口は、前記上面を抜けるように配置される、請求項１に記載の織機。
【請求項３】
前記開口は、第２の開口から間隔を開いて設けられる第１の開口を含む、請求項１に記載の織機。
【請求項４】
前記開口は、前記複数のピンの中の４つのピンによって囲まれる複数の開口を含み、前記４つのピンの中の２つは前記中央列に配置され、前記４つのピンの中の１つは前記第１の側部列に配置され、前記複数のピンの中の別の１つは前記第２の側部列に配置される、請求項１に記載の織機。
【請求項５】
前記複数のピンの各々はシャフト部を含み、前記４つのピンの中の１つの前記シャフト部は前記開口の側部の一部を画定する、請求項２に記載の織機。
【請求項６】
底面を含み、
前記開口は前記上面から前記底面を通って延びる、請求項１に記載の織機。
【請求項７】
第２の織機を取り付けるための取り付け機構を含み、前記取り付け機構は前記織機の少なくとも１つの側部に配置される、請求項１に記載の織機。
【請求項８】
前記取り付け機構は、第２の織機における溝穴の中に嵌まる第１の織機におけるタブを含む、請求項７に記載の織機。
【請求項９】
前記上面の中に配置されかつ前記複数のピンの各々の前記縦溝穴に開いているアクセスチャネルを含む、請求項１に記載の織機。
【請求項１０】
前記中央列の中のピンは、前記第１の側部列及び前記第２の側部列の各々におけるピンに対してオフセットしている、請求項１に記載の織機。
【請求項１１】
弾性バンドからリンク物品を作成するためのキットであって、
上面、及び前記上面に対して外側に延びる複数のピンを含む織機であって、前記複数のピンは、中央列、第１の側部列及び第２の側部列を含む少なくとも３つの列に配置され、前記複数のピンの各々は、上端の近くのフランジ並びに前記フランジ及び前記上端を通る縦溝穴を含み、前記複数のピンの中の４つの間に前記上面を抜ける開口が配置される織機と、
前記複数のピンの中の１つにおいて保持される弾性バンドの一部を把持するためのフックツールと、
前記複数のピンにおいて保持される一連のリンクされた弾性バンドの端部を固定するためのクリップと
を備える、キット。
【請求項１２】
取り付け部を含む少なくとも１つのチャームを含み、
前記取り付け部は、前記織機の前記複数のピンの中の１つにおいて前記チャームを保持する、請求項１１に記載のキット。
【請求項１３】
前記フックツールは、バレル部の第１の端部から延びるフック部、及び前記バレル部の第２の端部に配置される位置決めタブを含み、前記位置決めタブは、前記複数のピンの中の１つと前記バレル部の前記第２の端部を整列させるに前記縦溝穴の中に入れることが可能であり、それによって前記バレル部において保持される前記チャームの取り付け部又は弾性バンドを、前記複数のピンの中の１つへと滑らせることができる、請求項１２に記載のキット。
【請求項１４】
前記取り付け部は、完成したリンク物品において第１のチャームを前記第１のチャームに隣接する第２のチャームと整列させるための平行な側部を含む、請求項１２に記載のキット。
【請求項１５】
前記複数のピンに取り付け可能な複数の弾性バンドを含む、請求項１４に記載のキット。
【請求項１６】
リンク物品を形成するための方法であって、
織機の第１のピン及び第２のピンにまたがって第１の弾性バンドを配置するステップと、
第２の弾性バンドが前記第２のピンにおいて前記第１の弾性バンドの上になるように、前記第２のピン及び第３のピンにまたがって前記第２の弾性バンドを配置するステップと、
前記第２のピンにおいて前記第２の弾性バンドの上にチャーム又はループされた弾性バンドを配置するステップと、
前記第２のピンに配置された前記第１の弾性バンドの一部を把持するステップと、
前記第２の弾性バンド及び前記チャーム又は前記ループされた弾性バンドを通して前記第１の弾性バンドの把持された部分を引っ張るステップと、
前記第２の弾性バンドとのリンクを形成するように前記把持された部分を前記第１のピンに配置するステップと
を含む、方法。
【請求項１７】
前記第２のピンおいて前記チャーム又は前記ループされた弾性バンドを配置するステップは、バレル部に前記チャーム又は前記ループされた弾性バンドを配置すること、前記バレル部を前記第２のピンと整列させること、及び前記チャーム又は前記ループされた弾性バンドを前記バレル部から前記第２のピンへと滑らせて移動させることを含む、請求項１６に記載の方法。
【請求項１８】
前記バレル部の第１の端部におけるフック及び前記バレル部の第２の端部における位置決めタブを含み、前記バレル部を前記第２のピンと整列させることは、前記第２のピンにおける溝穴の中に前記位置決めタブを挿入することを含む、請求項１７に記載の方法。
【請求項１９】
前記チャームは直線的側部を有する取り付け部を含み、前記方法は、対応する取り付け部の直線的側部を隣接させることにより第１のチャームを第２のチャームと整列させるステップを含む、請求項１７に記載の方法。
【請求項２０】
一連のリンクを形成するステップと、前記一連のリンクの端部をクリップで固定するステップとを含む、請求項１６に記載の方法。
【発明の詳細な説明】
【技術分野】
【０００１】
本開示は、一般には、リンクされたアイテムを作成するための方法及び装置に関する。より詳細には、本開示は、弾性バンドからリンクされた装着可能なアイテムを作成するための方法及び装置に関する。
【背景技術】
【０００２】
独自に着色されたブレスレット又はネックレスを作るための材料を含むキットは、常にある程度の人気を有している。しかしながら、そのようなキットは、通常、異なる色に着色された糸及びビーズのような原材料を含むだけであり、使用可能で望ましいアイテムを作成することは個人の技量と才能に依存している。したがって、独自の装着可能なアイテムを作成するための材料を提供するだけでなく、構築を容易にして、様々な技量及び芸術的レベルの人々が耐久性があって望ましい装着可能なアイテムを上手に作成することを容易にするためのキットが要求されかつ必要とされている。
【発明の概要】
【０００３】
ブルニアンリンク（Ｂｒｕｎｎｉａｎ  ｌｉｎｋ）とは、チェインを形成するために、別の閉じたループを捕捉するように自身に対して折り畳まれた閉じたループから形成されたリンクである。このようなリンクを形成するために弾性バンドが利用され得る。例示的な装置は、ブルニアンリンクから形成されるアイテムを作成するために弾性バンドを所定位置に保持する手段を提供する。
【０００４】
異なる例示が図示された特定のコンポーネントを有しているが、本発明の実施形態はこれらの特定の組み合わせに限定されない。ある例示からのコンポーネント又は特徴のいくつかを別の例示からの特徴又はコンポーネントと組み合わせて使用することも可能である。
【０００５】
本明細書に開示のこうした特徴及び他の特徴は、以下の明細書及び図面から最良に理解することができる。以下は図面の簡単な説明である。
【図面の簡単な説明】
【０００６】
【図１】例示的なリンク物品の概略図である。
【図２】弾性バンドから形成された例示的なブルニアンリンクの概略図である。
【図３】ブルニアンリンク物品を形成するためのキットの例示的な実施形態の概略図である。
【図４】例示的な織機の実施形態の側面図である。
【図５】例示的な織機の実施形態の上面図である。
【図６】例示的な織機の実施形態の端面図である。
【図７】例示的な織機の実施形態の別の端面図である。
【図８】例示的なピンの一部の斜視図である。
【図９】端と端とが結合される２つの例示的な織機の斜視図である。
【図１０】端と端とが結合された２つの例示的な織機の斜視図である。
【図１１】端と端とが結合された２つの例示的な織機の上面図である。
【図１２】並んで結合される２つの例示的な織機の斜視図である。
【図１３】並んで結合された２つの例示的な織機の斜視図である。
【図１４】並んで結合された２つの例示的な織機の一部の上面図である。
【図１５】例示的な織機における開口の上面図である。
【図１６Ａ】リンク物品を作成する例示的な方法における１つのステップの概略図である。
【図１６Ｂ】リンク物品を作成する例示的な方法の別のステップの概略図である。
【図１６Ｃ】リンク物品を作成する例示的な方法の別のステップの概略図である。
【図１６Ｄ】リンク物品を作成する例示的な方法の別のステップの概略図である。
【図１６Ｅ】リンク物品を作成する例示的な方法の別のステップの概略図である。
【図１７】例示的なフックツールの実施形態の斜視図である。
【図１８】例示的な織機のピンの上面と係合した例示的なフックツールの一部の断面図である。
【図１９Ａ】リンク物品の中に例示的なチャームを組み付けるステップの概略図である。
【図１９Ｂ】リンク物品の中に弾性バンドを組み付けるステップの概略図である。
【図２０Ａ】例示的なフックツールの端に取り付けられる例示的な弾性バンドの側面図である。
【図２０Ｂ】例示的なフックツールの端に取り付けられる例示的なチャームの側面図である。
【図２１Ａ】ブルニアンリンクを形成するために織機の隣接するピンに支持された弾性バンドの概略図である。
【図２１Ｂ】リンク物品を組み立てるために複数のピンの中の１つに取り付けられるチャームの概略図である。
【図２１Ｃ】弾性バンドと共に複数のピンの中の１つに取り付けられたチャームの概略図である。
【図２１Ｄ】チャームを含むように弾性バンドからブルニアンリンクを形成するステップの概略図である。
【図２１Ｅ】チャームを含む弾性バンドからブルニアンリンクを形成する別のステップの概略図である。
【図２１Ｆ】チャームを含む弾性バンドからブルニアンリンクを形成するさらなるステップの概略図である。
【図２１Ｇ】ブルニアンリンクの形成中に下方のバンドを把持する前にピンの溝穴を通して上方の弾性バンド及びチャームを通して延びるフックツールを例示する概略図である。
【図２１Ｈ】下方のバンドを把持するためにピンの溝穴から外側に動くフックツールの概略図である。
【図２１Ｉ】下方の弾性バンドを把持して上方の弾性バンド及びチャームを通して下方のバンドを上方に引っ張るフックツールの概略図である。
【図２１Ｊ】チャームを含むブルニアンリンクを示す概略図である。
【図２２】複数のチャームを有するブルニアンリンクに形成された弾性バンドによって形成された例示的なブレスレットの斜視図である。
【図２３】例示的なチャームの実施形態の斜視図である。
【図２４】互いに対して向けられた複数のチャームの正面図である。
【図２５】別のチャームの実施形態の正面図である。
【図２６】例示的なクリップの実施形態の上面図である。
【発明を実施するための形態】
【０００７】
図１及び２を参照すると、ブルニアンリンクが、実際の結び目を形成することなく、弾性バンド１４等の連続的にループした構造から形成されている。複数の弾性バンド１４は、ブルニアンリンク１２で互いにリンクされてチェイン２２を形成する。チェイン２２は、ブレスレット１０等のリンク物品を形成するように形作られる。耐久性のある装着可能なアイテム１０が完成させるために、一連の弾性バンドリンクの端がクリップ２６で固定される。この例示では、３つの閉じたループを有する弾性バンド１４が、１つのチェイン２２を形成するように示されている。一方の弾性バンド１４の端１６を他方の弾性バンド１４の中央部１８で捕捉することによって各リンク１２が形成される。各リンク１２は前後のリンク１２に依存して、図示のような所望のリンク物品を維持する。例示としてブレスレット１０が示されているが、他の物品が異なるブルニアンリンク構造を利用して形成されてもよく、それも本開示の範囲及び考慮に入っている。
【０００８】
例示的なブレスレット１０は、完成したブレスレットに審美的変化を加えるためにリンク１２に取り付けられるチャーム２５を含む。この例示では、単列の弾性バンド１４間のリンク１２の中に４つのチャーム２５が固定されているが、他の数、間隔及び方向の例示的なチャーム２５も可能であり、それも本開示の範囲及び考慮に入っている。
【０００９】
図３を参照すると、特に、織機２８、フックツール２４及び一連のクリップ２６を含むブルニアンリンクを作るための例示的なキット２０が概略的に示されている。キットは、弾性バンド１４及びチャーム２５をさらに含む。弾性バンド１４は、ブルニアンリンクの形成を可能にするために異なる方向で織機２８のピン４０に取り付けられる。弾性バンド１４は、異なる組み合わせのブルニアンリンクの形成を可能にするために異なる方向及び数でピン４０に配置されてもよい。例示的なチャーム２５は例示として示されており、本開示の範囲及び考慮内で任意の形状、色及びサイズを有してもよい。クリップ２６は、完成したブルニアンリンクアイテムの端をほどけないように固定する。
【００１０】
例示的な織機２８は、第２の端部３４から長手方向に離れて配置される第１の端部３０を含む。ピン４０は、第１の端部３０と第２の端部３４との間で複数の列に並べられている。本開示の例示では、ピン４０は、両側部３２の間で３つの列に並べられている。ピン４０は、上面３６に対して上方に延びる。底面３８まで開くように上面３６を完全に通り抜ける少なくとも１つの開口４８が設けられる。本開示の１つの例示的な実施形態によれば、開口４８は、リンクされたアイテムの形成中にリンクされたアイテムが上面３６を通って下向きに延びることを可能にする。
【００１１】
本開示の例示では、織機２８は単体の一体部品である。しかしながら、織機２８は、互いに組み立てられる異なる部品で形成されてもよい。さらに、例示として３列のピン４０が示されているが、他の数の列も本開示の考慮及び範囲に入っている。
【００１２】
図４及び５を参照すると、例示的な織機２８は、第１の端部３０から第２の端部３４に向かって延びる列に配置される複数のピン４０を含んでいる。この例示では、中央列４４、第１の側部列４２、及び第２の側部列４６を含む３つの列がある。中央列４４は、第１の側部列４２及び第２の側部列４６に対してオフセットされている。中央列４４のオフセットは、同じ列のピン４０の間の距離４５の約半分である。中央列４４は側部列４２、４６に対してオフセットしているが、中央列４４は、側部列４２、４６に対して整列し又は他のやり方で位置付けられてもよく、そのような場合も本開示の考慮及び範囲に入っていることが理解されるべきである。
【００１３】
例示的な開口４８は、少なくとも４つのピン４０の間に配置される。少なくとも４つのピン４０は、第１の側部列４２及び第２の側部列４６の各々から１つのピン４０と中央列４４の２つのピン４０とを含む。例示的な開口４８は、８つのピン４０の間に配置されるように、第１の側部列４２及び第２の側部列４６の各々の中の３つのピン４０の側部に沿ってさらに延びる。開口４８は、各ピン４０の近くの位置まで延びる。
【００１４】
引き続き図４及び５を参照しながら、図６、７及び８を参照すると、各ピン４０は前向きの溝穴６０を含んでいる。前向きの方向は、第１の端部３０に向かう方向である。さらに、各ピン４０は、同じ方向に向いた溝穴４０を有する。本開示の例示では、同じ方向とは第１の端部３０の方向である。
【００１５】
各ピン４０は、上面５８を画定するフランジ５６を含む。溝穴６０は、ピン４０の垂直長さまで延びて、フランジ５６及び上面５８まで延びる。フランジ５６は、上面５８から溝穴６０への移行部を画定するテーパ部７４を含む。テーパ部７４は、上面５８を溝穴６０の内側面へと移行させる。例示的なピン４０は、ブルニアンリンクの形成時に弾性バンド１４が保持される外面を画定するシャフト５４を含む。シャフト５４は、幅７９を含む。幅７９は、溝穴６０を含まない表面で測定されるシャフト５４の最大幅である。ブルニアンリンクの形成中に、バンドが把持され、引かれ、かつ一方のピン４０から他方に操作されるときに、フランジ５８によってバンド１４が所定の位置に保持される。あるバンドが引き上げられて抜かれるときに、フランジ５８の少なくとも一部において別のバンド１４が支持されるように、例示的なフランジ５８はピン４０の約３／４の周囲を延びる。ピン４０は、略円筒形であるが、第１の端部３０に向いた溝穴６０によって円筒形状が中断される。また、フランジ５８も溝穴６０によって中断される。
【００１６】
上面３６は、開口４８によって前方に向いている側では制限されない各ピン４０に隣接するチャネル１００を含む。明確のためごく少数のチャネル１００のみが示されている。チャネル１００は、各ピン４０内の溝穴６０に対して開いている。チャネル１００は、各ピン４０から第１の端部３０に向かって長手方向に延びる。チャネル１００は、例示的なフック２４等のツールが上面３６の下で溝穴６０の中に延びることを可能にする。溝穴６０は、チャネル１００の底面に一致するようにピン４０から上面３６の下に延びる。
【００１７】
本開示の例示的な実施形態では、開口４８を取り囲む複数のピンの１つが、開口４８に対して開いている溝穴６０を含んでいる。この例示では、そのピン４０は中央列４４の中にあり、開口４８に対して開いている溝穴６０を含んでいる。
【００１８】
例示的な開口４８は、不規則に形成され、それぞれの角においてピン４０によって囲まれる。開口４８の形状は、少なくとも２つの隣接するピン４０の間で上面３６を抜ける開放空間を提供して、形成されたリンクが下向きに延びることを可能にする。リンクは開口４８を通って下向きに延びるので、織機２８の長手方向の長さに関係なく任意の長さのリンクのチェインを形成することができる。
【００１９】
各ピン４０は、円筒形のシャフト５４の周囲を溝６２によって取り囲まれる。溝６２は、上面３６を通って延びており、底面３８を通過して上方に延びる金型の一部によってシャフト５４の形成を可能にする。
【００２０】
織機２８は、端と端又は横並びの方向で他の織機に取り付けられ得る。例示的な織機２８は、反対の側部及び／又は端部におけるタブ５０及び溝穴５２を含む。タップ５０は、溝穴５２に嵌まるように構成される。さらに、各側部３２は、織機２８に整列する波状構成を含んでおり、それによって互いに異なる織機のピン４０と整列する。本開示の例示では、第１の端部３０はタブ５０を含み、第２の端部３４は溝穴５２を含んでいる。本開示の例示では、第１の側部３２はタブ５０を含み、第２の側部３２は溝穴５２を含んでいる。また、第１の端部３０は、第２の端部３４に配置される対応する溝穴３７の中に入れられる整列タブ３５も含んでいる。
【００２１】
引き続き図４−８を参照しながら、図９、１０及及び１１を参照すると、列４２、４４及び４６を拡張するために、第１の織機２８Ａが、端と端とで第２の織機２８Ｂに取り付け可能となっている。第１の織機２８Ａの第１の端部３０は、第２の織機２８Ｂの第２の端部３４に取り付けられる。第１の端部３０は、タブ５０及び端タブ３５を含む。本開示の例示では、タブ５０は、実質的にＴ字状であり（図５に最良に示されている）、対応形状を有する溝穴５２に嵌められる。タブ５０と溝穴５２とを嵌めることで、第１及び第２の織機２８Ａ及び２８Ｂが互いに保持される。第１の織機２８Ａの第１の端部３０における端タブ３５は、第２の織機２８Ｂの第２の端部３４における溝穴３７に嵌められる。端タブ３５と溝穴３７とを嵌めることは、整列をもたらすと共に横方向に動くことを防ぐ。第１の端部３０の形状及び第２の端部３４の形状も、整列をもたらすと共に横方向に動くことを防ぐように形成される。
【００２２】
端部３９及び３４の間に画定される接続部３９は、タブ５０と溝穴５２との嵌め合いを用いて織機２８Ａ、２８Ｂの間の相対配向を維持する。ピン４０の列４２、４４及び４６は、第１の織機２８Ａから第２の織機２８Ｂへと連続する。第１の織機２８Ａにおけるピン４０と第２の織機２８Ｂにおけるピン４０との間の接続部３９における間隔は、実質的に、第１の織機２８Ａ及び第２の織機２８Ｂの共通するものの中のピンと同じである。接続された２つの織機２８Ａ、２８Ｂが示されているが、各列４２、４４及び４６におけるピンの数を増やすために、任意の数の織機が互いに取り付けられ得ることが理解されるべきである。
【００２３】
引き続き図４−８を参照しながら、図１２、１３及び１４を参照すると、第１の織機２８Ａは、図１２に示されているように横並びに第２の織機２８Ｂに取り付け可能となっている。第１の織機２８Ａの一方の側部３２は、第２の織機２８Ｂのタブ５０を入れる溝穴５２を含む。織機２８Ａ及び２８Ｂは、タブ５０及び溝穴５２によって固定されて横断する列の数を拡張する。この例示では、２つの織機２８Ａ及び２８Ｂが、横並びの方向に取り付けられて、列の数を３つから６つに倍増している。この例示では、第１の織機２８Ａは、第２の織機２８Ｂに対してオフセットしている。オフセット方向は、第２の織機２８Ｂの側部列４６内の１つのピンを第１の織機２８Ａの側部列４２’におけるピン４０に対して定める。
【００２４】
さらなる織機２８が、図９−１１に示されているように端と端で、図１２−１４に示されているように横並びに、及び／又は任意の数の織機２８の端と端又は横並びの任意の組み合わせで追加され得ることが理解されるべきである。
【００２５】
引き続き図４−８を参照しながら、図１５を参照すると、例示的な織機２８は、リンク物品が上面３６を通って下に送られることを可能にする開口４８を含んでいる。開口４８を通ってリンク物品を送ることで、ピン４０の数に関係なく異なる長さのリンク物品を形成することが可能になる。リンク物品を形成する開示された方法の１つでは、第１の弾性バンド１４Ａが、第１のピン４０Ａ及び第２のピン４０Ｂにまたがって伸ばされる。第１のピン４０Ａ及び第２のピン４０Ｂは、開口４８の反対側にあり、両方とも中央列４４の中にある。弾性バンド１４Ａは、織機２８の長さに対して横断する方向にピン４０を横切って伸びてもよい。開口を横切って配置される第１の側部列４２第２の側部列４６の中のピン４０が利用されるであろう。この例示では、ピン４０Ａ及び４０Ｂが利用されて、第１の弾性バンド１４Ａがピンの間でＸ字状に捻られている。Ｘ字状の取り付けは第１の弾性バンド１４Ａに対してのみ用いられる。第１の弾性バンド１４Ａが取り付けられると、同じ２つのピン４０Ａ−Ｂにまたがって追加の弾性バンドが組み付けられる。
【００２６】
図１６Ａ−１６Ｅを参照すると、例示的な方法は、追加の弾性バンド１４Ｂ及び１４Ｃを加えて継続する。図１６Ａに示されているように、２つの弾性バンド１４Ａ及び１４Ｂが第１の弾性バンド１４Ａの上に配置されている。
【００２７】
次に、第１の弾性バンド１４Ａは、ピン４０Ａ、４０Ｂから持ち上げられて外され、弾性バンド１４Ｂ及び１４Ｃ上に置かれる。図１６Ｂに示された位置において、第１の弾性バンド１４Ａは、第２の弾性バンド１４Ｂ及び１４Ｃの両方の周囲に巻き付けられる。図１６Ｃに示されているように、さらなる弾性バンド１４Ｄが第２及び第３の弾性バンド１４Ｂ−１４Ｃの上に配置される。次に、一番下のバンドがピンから持ち上げられて他の弾性バンド上に置かれ、これは図１６Ｃに概略的に示されている。
【００２８】
図１６Ｄに示されているように、第２の弾性バンド１４Ｂは、第１の弾性バンド１４Ａを通って及び他の弾性バンド１４Ｃ及び１４Ｄの周りに延びる。弾性バンドをピン４０Ａ−４０Ｂにおけるそれらの上に追加して、一番下のバンドを一番上に引っ張る過程は、十分な数のリンクを作成するために必要な数だけ繰り返されて、所望の長さのリンク物品が提供される。この例示では、所望のリンク物品を形成するために必要とされる任意のリンク１２を形成するためのさらなる弾性バンドが、図１６Ｅにおいて１４Ｎとして示されている。弾性バンド１４の数は、所望の長さを提供するために変更され得る。さらに、完成した物品に異なる密度及び見た目を与えるために、各ステップで複数の弾性バンドが追加され得る。
【００２９】
完成したリンク１２は、開口４８を通って下向きに延びるので、取り付けの間中、リンクをきれいに形成することが可能になる。さらに、開口４８は、取り付け中に弾性バンドへのさらなるアクセスを提供する。
【００３０】
図１７を参照すると、例示的なフックツール２４が、バレル６６の第１の端部から延びるフック６４を含んでいる。フック６４に対するバレル６６の反対端には端部６８が配置されている。本開示の例示的なフックツール２４は、一般の樹脂材料から形成された一体部品である。さらに、例示的なフックツール２４は、バレル６６に対して成形される又は他のやり方で取り付けられる金属フック６４を含んでもよい。
【００３１】
端部６８は、テーパ７２に対して外向きに延びる整列ピン７０を含む。テーパ７２は、バレル６６の外径に向かってピン７０から半径方向に離れる移行部を提供する。
【００３２】
図１８を参照すると、端部６８は、ピン４０の上面５８に適合する。ピン７０は溝穴６０の中に収まり、テーパ７２はピン４０のテーパ７４の中に嵌まる。テーパ７２及びテーパ７４は、外径７５がフランジ５６の幅７７（図６に示されている）と整列することができるように成形される。フランジ５６の外面と端部６８の整列は、弾性バンド及びチャーム等の弾性物品を隣接する複数のピン４０を横断するのではなく個別にピンに組み付けるために使用される。
【００３３】
引き続き図１８を参照しながら、図１９Ａ及び２０Ａを参照すると、異なる審美的デザインを提供するように、弾性バンド１４がブルニアンリンク内に取り付け可能となっている。弾性バンド１４は、自身に対して折り畳まれて、フックツール２４の端部６８を介してバレル６６上に配置される。１つ又は複数のバンド１４が、ブルニアンリンクされたアイテムへの取り付けに備えてバレル６６上に配置され得る。
【００３４】
引き続き図１８を参照しながら、図１９Ｂ及び２０Ｂを参照すると、チャーム２５が、フックツール２４の端部６８上に取り付け可能な取り付け部８０を含んでいる。チャーム２５の取り付け部８０は、弾性材料から形成され、端部６８の直径よりも小さく、そのため端部６８を超えてバレル６６上にチャーム２５を挿入するために取り付け部８０の伸縮が必要とされる。多くのチャーム２５が、織機２８のピン４０への取り付けを支援するためにバレル６６上に保持され得る。
【００３５】
引き続き図１９Ａ及び２０Ａを参照しながら、図２１Ａ−２１Ｊを参照すると、ブルニアンリンクされたアイテムにチャーム２５を組み付けるための方法が概略的に示されている。方法は、図１９Ａに示されているように、第１のピン４０Ａ及び第２のピン４０Ｂにまたがって第１の弾性バンド１４Ａを組み付けるステップを含む。第２の弾性バンド１４Ｂが、第１の弾性バンド１４Ａの上で第２のピン４０Ｂ上に保持されて、第３のピン４０Ｃ上に伸ばされる。第３の弾性バンド１４Ｃが、第２の弾性バンド１４Ｃの上で第３のピン４０Ｃ上に配置されて、図示されていないさらに別のピン４０上に伸ばされる。理解されるように、複数の弾性バンドが、織機２８をまたがって提供されて、完成したリンク物品１０を形成するために複数のリンク１２を形成するであろう。
【００３６】
図２１Ｂを参照すると、チャーム２５がバレル６６上に装着されている端部６８が、複数のピン４０の１つの上に置かれている。この例示では、端部６８は、図１８に示されたものと同じやり方で第２のピン４０Ａの上に置かれている。チャーム２５は、バレル６６からピン４０Ｂへシャフト５４上の位置まで滑らされる。この例示では、チャーム２５は、第１及び第２の弾性バンド１４Ａ−Ｂの両方の上でシャフト５４上に配置される。チャーム２５がピン４０Ｂ上に滑らされると、端部６８が離されて、図２１Ｃに示された配向で弾性バンド１４Ａ−１４Ｂ及びチャーム２５が残され得る。さらなる弾性バンド１４及びチャーム２５が、リンク物品を作成するために所望の通りに織機２８に取り付けられてもよい。
【００３７】
フック２４のバレル６６がチャーム２５をピン４０に取り付けるために使用されてもよいが、チャーム２５及び／又は弾性バンドは、バレル６６を利用せずに直接各ピン４０に配置され得ることが理解されるべきである。
【００３８】
図２１Ｄを参照すると、弾性バンド１４Ａ−１４Ｃがピン４０Ａ−４０Ｃに配置されており、ブルニアンリンクの組み付け及び形成を開始することができる。フック６４は、弾性バンド１４Ｃを別の弾性バンドを通して引っ張り、第３のピン４０Ｃに戻すために使用される。フック６４は、上面５８から溝穴６０を通して下向きに動かされて、一番下の弾性バンド１４Ｂを把持してもよい。この位置では、第３の弾性バンド１４Ｃは、両方の端部が第２の弾性バンドの上で第３のピン４０Ｃ上にある。第３の弾性バンド１４Ｃの中央部は、この図には示されていない別の弾性バンドに係合されている。図２１Ｅに示されるように、フック６４は、第２の弾性バンド１４Ｂを把持し、第３の弾性バンド１４Ｃを通して上向きに第２の弾性バンドを引っ張り、第２のピン４０Ｂ上に配置される。フック６４の一部は、弾性バンドの把持を支援するために溝穴６０の中に延びる。ピン４０の溝穴６０は、フックツール２４が一番下の弾性バンドの下まで延びて、上方の弾性バンド及びチャーム２５を通って上に引き戻すことを可能にする。
【００３９】
したがって、図２１Ｆを参照すると、第２の弾性バンドは、各端部が第２のピン４０Ｂ上にあり、その中央部が第３の弾性バンド１４Ｃによって保持されるように配置されている。チャーム２５は、第２の弾性バンド１４Ｂの両端の間に配置される。
【００４０】
次に、図２１Ｇを参照すると、フック６４は、第１の弾性バンド１４Ａを把持するためにチャーム２５及び第２の弾性バンド１４Ｂの各々を通って下に伸びるように動かされる。本開示の実施形態では、フック６４は、チャーム２５の取り付け部８０を通って下向きに第２の弾性バンド１４Ｂの内側を移動することを支援するように、溝穴６０を通って延びる。
【００４１】
図２１Ｈを参照すると、フック６４は、第１の弾性バンド１４Ａを把持するために溝穴６０から僅かに外に出されて下向きに動かされている。
【００４２】
次に、図２１Ｉを参照すると、フック６４は、第１の弾性バンド１４Ａを把持するためにチャーム２５及び第２の弾性バンド１４Ｂの各々を通って下に届くように使用されている。フック６４は、チャーム２５の取り付け部８０を通って下向きに第２の弾性バンド１４Ｂの内側を移動することを支援するように、溝穴６０を通って配置されてもよい。第１の弾性バンド１４Ａは、第２の弾性バンド１４Ｂ及びチャーム２５の各々を通って上向きに引っ張られる。第２の弾性バンド１４Ｂは、各ピンの上端にあるフランジ５８のおかげで第２のピン４０Ｂに留まる。溝穴６０は、フック６４が上方の弾性バンド１４Ｂ及びチャーム２５を通って延びることを可能にし、この例示では第１の弾性バンド１４Ａである一番下のバンドを把持することも支援する。
【００４３】
図２１Ｊを参照すると、フック６４によって把持された弾性バンド１４Ａの部分が、第１のピン４０Ａ上に置かれている。第１の弾性バンド１４Ａは、残りのリンクが形成されるまでチャーム２５及び第２の弾性バンド１４Ｂの一部を保持する。
【００４４】
端部６８を利用するこの方法は、弾性バンドによって形成されたブルニアンリンクの中にチャーム２５を組み込むことを可能にする。チャーム２５の取り付けが例示として示されているが、この方法を用いて他の環状の特徴物もブルニアンリンクに組み付けられ得ることが理解されるべきである。例えば、リング、図１９Ａ及び２０Ａに示される他の弾性バンド及び／又は内側開口を有する他のオブジェクトも、本開示の方法によって例示的な織機２８において形成されたブルニアンリンクに組み付けることが可能であり、本開示の考慮及び範囲に入っている。
【００４５】
図２２、２３及び２４を参照すると、弾性バンド１４によって形成されたリンク１２の各々にチャーム２５が組み込まれて、完成したリンク物品を形成しているものが示されている。例示的なチャーム２５は、内側開放領域８２を有する取り付け部７８及びチャーム部７６を含む。内側開放領域８２は、フランジ７７及びピンシャフト７９の幅７５と一致する直径８８（図２４）を含む。組み付け中に取り付け部７８が個々のピン４０上の所定位置に保持されるための類似の直径を描写するために一致する幅８８が使用される。チャーム部７６は、装飾印、キャラクタ、文字、数又は任意の他の装飾的特徴を含む。この例示では、チャーム部７６はスマイルフェイスである。
【００４６】
例示的な取り付け部７８は、平坦で互いに対して平行な側部８０を含む。平坦な側部８０は、図２４に示されているように隣接するチャーム２５が互いに対して整列されて配向されることを可能にする。平坦な側部８０は、互いに対して平行であり、距離８４だけ間隔が開いている。この例示では、チャーム部７６は、取り付け部７８の幅８４よりも小さな幅８６を含んでいる。取り付け部７８が側部８０において隣接する一方で、チャーム部７６の小さな幅７６は、隣接するチャーム７６間に間隔が開くことを可能にする。
【００４７】
例示的な内側領域８２は、取り付け部７８の輪郭に実質的に従う平坦部を含む。この例示では、取り付け部７８は、円形の上端及び底部１０２と共に平坦な側部８０を含んでいる。この例示では、各平坦な側部８０の長さ８５は等しい。さらに、平坦な側部８０の長さ８５は、取り付け部全体よりも長く又は短くてもよい。長さ８５は、平坦な側部８０が隣接するチャーム２５と整列するように設けられ、整列機能をもたらす異なるサイズであってもよい。
【００４８】
図２５を参照すると、平坦な側部１０８及びチャーム部１１０を備えた取り付け部１０６を含む別のチャーム１０４が示されている。内側領域１１０は、取り付け部１０６の外形に従うのではなく円形である。取り付け部１０６及び内側領域１１２の他の構成及び形状も利用可能であり、本開示の考慮及び範囲に入っていることが理解されるべきである。
【００４９】
図２６を参照すると、一連のブルニアンリンクの端部を固定するための例示的なクリップ２６が示されている。クリップ２６は、内側に延びるアーム９０によって囲まれる内側領域９６を含む。アーム９０は、内側領域９６の中に開口を画定するようにタブ９２から間隔が開いている。内側に延びるアーム９０によって弾性バンド１４の端部９８が内側領域９６から滑り出ることを防いでいる。クリップ２６は、一連のリンクの隣接する端部に対する整列をもたらす外側に延びる隆起９８を裏側に含んでいる。
【００５０】
したがって、例示のキット及び方法によって、ブレスレット、ネックレス、及び他のリンクされたアイテムを作成するために、ブルニアンリンクの多くの異なる組み合わせ及び構成が作成される。さらに、例示のキットは、潜在的なブルニアンリンクの作成能力をさらに生み出して拡張するように拡張可能である。例示のキットによって、簡単なやり方でこのようなリンク及びアイテムの作成が行われ、それにより様々な技量レベルの人が独自の装着可能なアイテムを上手に作成することが可能になる。
【００５１】
例示の実施形態が開示されているが、当業者であれば、所定の変更も本開示の範囲に入ることを認識するであろう。さらに、本開示のいずれの部分も、明示的又は暗示的に、特許請求の範囲を放棄又は限定することを意図していない。いずれの実施形態の記載も、明示的又は暗示的に、以下の請求項に記載の明白かつ通常の意味を制限することを意図していない。例示的な実施形態は、適切に本開示の範囲内である多くの可能な構造及び方法の１つに過ぎない。そのため、以下の請求項を検討して本開示の範囲及び内容を決定するべきである。
【図１】
2020189074.tif 000003
【図２】
2020189074.tif 000004
【図３】
2020189074.tif 000005
【図４】
2020189074.tif 000006
【図５】
2020189074.tif 000007
【図６】
2020189074.tif 000008
【図７】
2020189074.tif 000009
【図８】
2020189074.tif 000010
【図９】
2020189074.tif 000011
【図１０】
2020189074.tif 000012
【図１１】
2020189074.tif 000013
【図１２】
2020189074.tif 000014
【図１３】
2020189074.tif 000015
【図１４】
2020189074.tif 000016
【図１５】
2020189074.tif 000017
【図１６Ａ】
2020189074.tif 000018
【図１６Ｂ】
2020189074.tif 000019
【図１６Ｃ】
2020189074.tif 000020
【図１６Ｄ】
2020189074.tif 000021
【図１６Ｅ】
2020189074.tif 000022
【図１７】
2020189074.tif 000023
【図１８】
2020189074.tif 000024
【図１９Ａ】
2020189074.tif 000025
【図１９Ｂ】
2020189074.tif 000026
【図２０Ａ】
2020189074.tif 000027
【図２０Ｂ】
2020189074.tif 000028
【図２１Ａ】
2020189074.tif 000029
【図２１Ｂ】
2020189074.tif 000030
【図２１Ｃ】
2020189074.tif 000031
【図２１Ｄ】
2020189074.tif 000032
【図２１Ｅ】
2020189074.tif 000033
【図２１Ｆ】
2020189074.tif 000034
【図２１Ｇ】
2020189074.tif 000035
【図２１Ｈ】
2020189074.tif 000036
【図２１Ｉ】
2020189074.tif 000037
【図２１Ｊ】
2020189074.tif 000038
【図２２】
2020189074.tif 000039
【図２３】
2020189074.tif 000040
【図２４】
2020189074.tif 000041
【図２５】
2020189074.tif 000042
【図２６】
2020189074.tif 000043
【手続補正書】
【提出日】令和2年7月6日(2020.7.6)
【手続補正２】
【補正対象書類名】特許請求の範囲
【補正対象項目名】全文
【補正方法】変更
【補正の内容】
【特許請求の範囲】
【請求項１】
ブルニアンリンクを形成するための装置であって、
上面と、
底面と、
前記上面に対して外側に延びる複数のピンと
を備え、前記複数のピンは、第１の側部列、第２の側部列、並びに前記第１の側部列及び前記第２の側部列に対してオフセットされた中央列を含む前記装置の長手方向に沿った少なくとも３つの列に配置され、前記複数のピンの各々は、上端の近くのフランジ並びに前記フランジ及び前記上端を通りかつ前記長手方向の一方の端部に向かって開いた縦溝穴を含み、前記複数のピンの少なくとも４つのピンの間に前記上面から前記底面まで貫通するように開口が配置され、
前記４つのピンは、前記長手方向で前記中央列における前記複数のピンの中の２つの隣接するピン、及び前記長手方向に対して横向きの横手方向で前記第１の側部列における前記複数のピンの中の１つのピンと前記第２の側部列内の前記複数のピンの中の１つのピンを含み、
前記中央列における前記複数のピンの中の２つの隣接するピンの１つの前記縦溝穴のみが前記開口に対して開いている、装置。
【請求項２】
前記開口は、第２の開口から間隔を開いて設けられる第１の開口を含み、前記第１の開口は第１の組の４つのピンによって囲まれ、前記第２の開口は前記第１の組とは異なる第２の組の４つのピンによって囲まれる、請求項１に記載の装置。
【請求項３】
前記開口は、前記複数のピンの中の４つのピンによって囲まれる複数の開口を含み、前記４つのピンの中の２つは前記中央列に配置され、前記４つのピンの中の１つは前記第１の側部列に配置され、前記複数のピンの中の別の１つは前記第２の側部列に配置され、前記複数の開口はそれぞれが異なる組の４つのピンによって囲まれる、請求項１に記載の装置。
【請求項４】
前記複数のピンの各々はシャフト部を含み、前記シャフト部は前記底面まで延びた延長部分を有しており、前記４つのピンの中の１つの前記シャフト部の前記延長部分は前記開口の側部の一部を画定する、請求項１に記載の装置。
【請求項５】
第２の装置を取り付けるための取り付け機構を含み、前記取り付け機構は前記装置の少なくとも１つの側部に配置される、請求項１に記載の装置。
【請求項６】
前記取り付け機構は、第２の装置における溝穴の中に嵌まる第１の装置におけるタブを含む、請求項５に記載の装置。
【請求項７】
前記上面の中に配置されかつ前記複数のピンの各々の前記縦溝穴に開いているアクセスチャネルを含む、請求項１に記載の装置。
【請求項８】
前記中央列の中のピンは、前記第１の側部列及び前記第２の側部列の各々におけるピンに対してオフセットしている、請求項１に記載の装置。
【請求項９】
弾性環状ひもからブルニアンリンクを作成するためのキットであって、
上面、底面、及び前記上面に対して外側に延びる複数のピンを含む装置であって、前記複数のピンは、第１の側部列、第２の側部列並びに前記第１の側部列及び前記第２の側部列からオフセットされた中央列を含む前記装置の長手方向に沿った少なくとも３つの列に配置され、前記複数のピンの各々は、上端の近くのフランジ並びに前記フランジ及び前記上端を通りかつ前記長手方向の一方の端部に向かって開いた縦溝穴を含み、前記複数のピンの中の４つのピンの間に前記上面から前記底面まで貫通する開口が配置される装置と、
前記複数のピンの中の１つにおいて保持される弾性環状ひもの一部を把持するためのフックツールと、
前記複数のピンにおいて保持される一連のリンクされた弾性環状ひもの端部を固定するためのクリップと
を備え、
前記４つのピンは、前記長手方向で前記中央列における前記複数のピンの中の２つの隣接するピン、及び前記長手方向に対して横向きの横手方向で前記第１の側部列における前記複数のピンの中の１つのピンと前記第２の側部列内の前記複数のピンの中の１つのピンとを含み、
前記中央列における前記複数のピンの中の２つの隣接するピンの１つの前記縦溝穴のみが前記開口に対して開いている、キット。
【請求項１０】
取り付け部を含む少なくとも１つのチャームを含み、前記取り付け部は、前記装置の前記複数のピンの中の１つにおいて前記チャームを保持する、請求項９に記載のキット。
【請求項１１】
前記フックツールは、バレル部の第１の端部から延びるフック部、及び前記バレル部の第２の端部に配置される位置決めタブを含み、前記位置決めタブは、前記複数のピンの中の１つと前記バレル部の前記第２の端部を整列させるために前記縦溝穴の中に入れることが可能であり、それによって前記バレル部において保持される前記チャームの取り付け部又は弾性環状ひもを、前記複数のピンの中の１つへと滑らせることができる、請求項１０に記載のキット。
【請求項１２】
前記取り付け部は、完成したリンク物品において第１のチャームを前記第１のチャームに隣接する第２のチャームと整列させるための平行な側部を含む、請求項１０に記載のキット。
【請求項１３】
前記複数のピンに取り付け可能な複数の弾性環状ひもを含む、請求項１２に記載のキット。
【請求項１４】
請求項１に記載の装置を用いてブルニアンリンクを形成するための方法であって、
前記装置の第１のピン及び第２のピンにまたがって第１の弾性環状ひもを配置するステップと、
第２の弾性環状ひもが前記第２のピンにおいて前記第１の弾性環状ひもの上になるように、前記第２のピン及び第３のピンにまたがって前記第２の弾性環状ひもを配置するステップと、
前記第２のピンにおいて前記第２の弾性環状ひもの上にチャーム又はループされた弾性環状ひもを配置するステップと、
前記第２のピンに配置された前記第１の弾性環状ひもの一部を把持するステップと、
前記第２の弾性環状ひも及び前記チャーム又は前記ループされた弾性環状ひもを通して前記第１の弾性環状ひもの把持された部分を引っ張るステップと、
前記第２の弾性環状ひもとのリンクを形成するように前記把持された部分を前記第１のピンに配置するステップと
を含む、方法。
【請求項１５】
前記第２のピンおいて前記チャーム又は前記ループされた弾性環状ひもを配置するステップは、バレル部に前記チャーム又は前記ループされた弾性環状ひもを配置すること、前記バレル部を前記第２のピンと整列させること、及び前記チャーム又は前記ループされた弾性環状ひもを前記バレル部から前記第２のピンへと滑らせて移動させることを含む、請求項１４に記載の方法。
【請求項１６】
前記バレル部の第１の端部におけるフック及び前記バレル部の第２の端部における位置決めタブを含み、前記バレル部を前記第２のピンと整列させることは、前記第２のピンにおける溝穴の中に前記位置決めタブを挿入することを含む、請求項１５に記載の方法。
【請求項１７】
前記チャームは直線的側部を有する取り付け部を含み、前記方法は、対応する取り付け部の直線的側部を隣接させることにより第１のチャームを第２のチャームと整列させるステップを含む、請求項１５に記載の方法。
【請求項１８】
一連のリンクを形成するステップと、前記一連のリンクの端部をクリップで固定するステップとを含む、請求項１４に記載の方法。
【外国語明細書】
2020189074000001.pdf